(57)【要約】【課題】水源の水を汲み上げるためのポンプを必要とせず、被災地などの電源が無い地域でも燃料を使わずに飲料水などの生活水を得ることのできる水処理装置を提供する。【解決手段】装置本体２内に膜ユニット３を収納し池や湖、河川などの水源の中に沈められて着底状態で設置される膜濾過装置１と、膜濾過装置１内の膜ユニット３の下方からエアーを送り込むブロアー４と、膜濾過装置１で濾過された水を吸引して受水タンク７に送る吸引ポンプ５と、受水タンク７から水を取り出す送水ポンプ１２とを備え、さらに各ポンプ５，１２およびブロアー４を駆動させる太陽光発電装置１４を設けた。【選択図】図１
2007160158.tif 000002
【特許請求の範囲】
【請求項１】
膜ユニットを収納し池や湖、河川などの水源の中に沈められて着底状態で設置される膜濾過装置と、膜濾過装置内の膜ユニットの下方からエアーを送り込むブロアーと、膜濾過装置で濾過された水を吸引して受水タンクに送る吸引ポンプと、受水タンクから水を取り出す送水ポンプとを備えてなることを特徴とする水処理装置。
【請求項２】
膜濾過装置の装置本体の外面から水の流れ方向に対し逆方向にＶ状に突出する分離板を設けてなることを特徴とする請求項１記載の水処理装置。
【請求項３】
各ポンプおよびブロアーを駆動させる太陽光発電装置を設けてなることを特徴とする請求項１または２記載の水処理装置。
【発明の詳細な説明】
【技術分野】
【０００１】
本発明は、例えば震災により電源が無い地域などで飲料水などの生活水を提供するために使用できるようにした水処理装置に関するものである。
【背景技術】
【０００２】
昨今世界中で発生している大地震などの被災地において電源の復旧、飲料水などの生活水の復旧に長い日数がかかっており、人間の生活において最も必要な飲料水を確保するのに各地から支援を求めているのが現状であるが、充分に行き届いていないのが現実である。
【０００３】
そこで、被災地において電源を使わずに飲料水を提供するために特許文献１に開示されている災害用飲料水製造装置が知られており、この災害用飲料水製造装置では水源から水を汲み上げるためのメインポンプとしてエンジンポンプが使用されている。
【特許文献１】特開平１０−５７９５７号公報
【発明の開示】
【発明が解決しようとする課題】
【０００４】
上記従来の特許文献１に記載の災害用飲料水製造装置の構成では、水源の水を汲み上げるためのエンジンポンプが必要であり、またこのエンジンポンプを駆動するための燃料を用意しなければならないという問題があった。
【０００５】
本発明の目的は、このような課題を解決するものであり、水源の水を汲み上げるためのポンプを必要とせず、被災地などの電源が無い地域でも燃料を使わずに飲料水などの生活水を得ることのできる水処理装置を提供することにある。
【課題を解決するための手段】
【０００６】
本発明の請求項１に記載の水処理装置は、装置本体内に膜ユニットを収納し池や湖、河川などの水源の中に沈められて着底状態で設置される膜濾過装置と、膜濾過装置内の膜ユニットの下方からエアーを送り込むブロアーと、膜濾過装置で濾過された水を吸引して受水タンクに送る吸引ポンプと、受水タンクから水を取り出す送水ポンプとを備えてなることを特徴とする。
【０００７】
請求項２に記載の水処理装置は、膜濾過装置の装置本体の外面から水の流れ方向に対し逆方向にＶ状に突出する分離板を設けてなることを特徴とする。
請求項３に記載の水処理装置は、各ポンプおよびブロアーを駆動させる太陽光発電装置を設けてなることを特徴とする。
【発明の効果】
【０００８】
以上のように、本発明の水処理装置は、装置本体内に膜ユニットを収納した膜濾過装置と、膜濾過装置内の膜ユニットの下方からエアーを送り込むブロアーと、膜濾過装置で濾過された水を吸引して受水タンクに送る吸引ポンプと、受水タンクから水を取り出す送水ポンプとを備えてなることにより飲料水などの生活水を得ることができる。また、前記膜ユニットを収納した膜濾過装置は池や湖、河川などの水源の中に沈められて着底状態で設置されるので、膜濾過装置に対して水源の水を汲み上げるためのポンプが不要となり、また膜濾過装置の上端からのオーバーフロー水の処理配管も不要となり、大幅なコストダウンを図ることができる。また、膜濾過装置の装置本体の外面から水の流れ方向に対し逆方向にＶ状に突出する分離板を設けてなることにより、水源の中の水の流れによる抵抗を極力小さくし、膜濾過装置が水の流れによって移動するのを抑えることができる。さらに、被災地などの電源が無い地域でも太陽光発電装置を設けることによりポンプやブロアーを駆動させることができ、燃料を使わずに水処理装置を運転させて飲料水を提供することができる。
【発明を実施するための最良の形態】
【０００９】
以下、本発明の一実施の形態を、図１〜図２を用いて具体的に説明する。
図において、１は装置本体２内に膜カートリッジを集合状態とした膜ユニット３を収納する膜濾過装置で、この膜濾過装置１は池や湖、河川などの水源の中に沈められて着底状態で設置され、水源の水が装置本体２内に上下から入るようになっている。４は前記膜濾過装置１内の膜ユニット３の下方からエアーを送り込むためのブロアーで、膜濾過装置１内に入った被処理水はブロアー４により送り込まれたエアーにより隣り合う膜カートリッジ間を撹拌されながら上昇する過程において、その一部が膜カートリッジに対して内部に浸透して濾過され、残りの分は膜カートリッジの上部から膜濾過装置１内を下降するという循環動作を繰り返すようになる。そして、被処理水に含まれる汚泥も膜カートリッジ間を上昇することになり、膜カートリッジ表面に付着した汚れを掻き落とす作用を行なうことになる。５は膜ユニット３で濾過された水を膜ユニット３の上側の取り出し口６から吸引して受水タンク７に送るための吸引ポンプである。ところで、前記ブロアー４により送り込まれたエアーによって膜ユニット３の上方に浮き上がった汚泥を含む水は装置本体２の上端から水源に戻される。８は吸引ポンプ５と受水タンク７との間の流路中に設けた除菌用のフィルター、９はこの除菌用のフィルター８と前記吸引ポンプ５との間の流路中に薬剤として次亜塩素酸ナトリウムを送るための薬注タンクで、薬注ポンプ１０により薬剤が供給される。なお、前記薬注ポンプ１０は吸引ポンプ５と連動しており、吸引ポンプ５の運転が停止しているときは薬注ポンプ１０も停止するようになっている。１１は前記受水タンク７中の水の安全性を高めるために受水タンク７に設けたＵＶ殺菌ランプで、このＵＶ殺菌ランプ１１により処理された水は送水ポンプ１２により受水タンク７から取り出され、フィルター１３を通って飲料水などの生活水として利用されるようになっている。ところで、前記装置本体２内における膜ユニット３の下側には濾過により汚泥が沈殿しようとするが、膜濾過装置１は水源の中に沈められているので汚泥は水源の中に戻されることになる。
【００１０】
以上のようにして池や湖、河川などの水源から採取した水を飲料水などの生活水として利用できるものであるが、被災地において電源の復旧に長い日数がかかる場合が多く、そのために本実施の形態では前記ブロアー４、吸引ポンプ５、薬注ポンプ１０、ＵＶ殺菌ランプ１１、送水ポンプ１２の駆動源として太陽光発電装置１４で得た電気を用いるようにしてある。この太陽光発電装置１４で得た電気の余った分は制御盤１５に内蔵された蓄電池で蓄電されるようになっている。
【００１１】
前記太陽光発電装置１４は多数枚の発電パネル１６を平面上に並べて作られており、地域に応じて集光に最適な角度となるように太陽光に対して角度調整できるように構成されている。
【００１２】
ところで、膜濾過装置１は前述のように池や湖、河川などの水源の中に着底状態で沈められているのであるが、水源の中の水の流れによる抵抗を極力小さくするために膜濾過装置１の装置本体２には装置本体２の外面から水の流れ方向に対し逆方向にＶ状に突出する分離板１７が設けられている。これにより、膜濾過装置１が水の流れによって移動するのを抑えることができる。
【図面の簡単な説明】
【００１３】
【図１】本発明の一実施の形態における水処理装置のフローシート図である。
【図２】同水処理装置の要部の平面図である。
【符号の説明】
【００１４】
１    膜濾過装置
２    装置本体
３    膜ユニット
４    ブロアー
５    吸引ポンプ
６    取り出し口
７    受水タンク
８    フィルター
９    薬注タンク
１０    薬注ポンプ
１１    ＵＶ殺菌ランプ
１２    送水ポンプ
１３    フィルター
１４    太陽光発電装置
１５    制御盤
１６    発電パネル
１７    分離板
【図１】
2007160158.tif 000003
【図２】
2007160158.tif 000004